(57)【要約】      （修正有）【課題】スピンドルモータから発生するアウトガスがディスク装置内部に入り込むことをより制限する。【解決手段】スピンドルモータ１３は、流体軸受け５５とステータ５０とハブ４１と遮蔽構造体とを具備する。軸受け部は、ベースに固定され円筒状の外形を有する。ステータは、磁極となるコアを配設するとともに軸受け部の外側で前記ベース１１に固定される。ハブは、コアと対向する磁石４３を配設するとともに軸受け部に回転自在に支持される。遮蔽構造体は、ステータとハブとの間の気流を遮蔽する遮蔽板７０と、遮蔽板を軸受け部の円筒状の外形の上端で軸受け部に密着させる第１の弾性部材８０と、遮蔽板をハブの外端よりも外側に延び広がる領域でベースに密着させる第２の弾性部材８１とを具備する。【選択図】図２
2012181888.tif 000002
【特許請求の範囲】
【請求項１】
ベースに固定され円筒状の外形を有する軸受け部と、
磁極となるコアを配設するとともに前記軸受け部の外側で前記ベースに固定されるステータと、
前記コアと対向する磁石を配設するとともに前記軸受け部に回転自在に支持されるハブと、
前記ステータと前記ハブとの間の気流を遮蔽する遮蔽板と、当該遮蔽板を前記軸受け部の円筒状の外形の上端で当該軸受け部に密着させる第１の弾性部材と、前記遮蔽板を前記ハブの外端よりも外側に延び広がる領域で前記ベースに密着させる第２の弾性部材とを具備する遮蔽構造体と、
を具備するスピンドルモータ。
【請求項２】
前記遮蔽板は非磁性材料で形成される請求項１記載のスピンドルモータ。
【請求項３】
前記ステータは前記コアに巻装されたコイルを有し、前記遮蔽板は前記コイルに固着部材で接合される請求項２記載のスピンドルモータ。
【請求項４】
前記遮蔽板は、前記軸受け部の円筒状の外面の径よりも大きな径の中央孔を略中央に有する上面部、当該上面部の外周縁から略直行して下方向に延びる円筒部、円筒部の下端から外側に略直行して広がる下面部、および前記上面部の内周縁から略直行して下方向に延びる内側円筒部を具備し、
前記第１の弾性部材は、円筒形状に形成されて、前記内側円筒部と前記軸受け部との間に配設され、前記第２の弾性部材は、環状に形成されて、前記下面部と前記ベースとの間に配設される請求項３記載のスピンドルモータ。
【請求項５】
前記遮蔽板、前記第１の弾性部材、および前記第２の弾性部材は単一部品として形成される請求項１ないし４の何れか１項に記載のスピンドルモータ。
【請求項６】
ベースを具備する筺体と、
前記筺体の内部に配設される記録媒体と、
前記記録媒体を回転させるスピンドルモータと、
を具備するディスク装置であって、
前記スピンドルモータは、
前記ベースに固定され円筒状の外形を有する軸受け部と、
磁極となるコアを配設するとともに前記軸受け部の外側で前記ベースに固定されるステータと、
前記コアと対向する磁石を配設するとともに前記軸受け部に回転自在に支持されるハブと、
前記ステータと前記ハブとの間の気流を遮蔽する遮蔽板と、当該遮蔽板を前記軸受け部の円筒状の外形の上端で当該軸受け部に密着させる第１の弾性部材と、前記遮蔽板を前記ハブの外端よりも外側に延び広がる領域で前記ベースに密着させる第２の弾性部材とを具備する遮蔽構造体と、
を具備するディスク装置。
【発明の詳細な説明】
【技術分野】
【０００１】
本発明の実施形態は、ディスクを回転駆動するスピンドルモータおよびこれを備えるディスク装置に関する。
【背景技術】
【０００２】
近年、情報を記録する情報記録装置として、ディスクを利用した磁気ディスク装置や光ディスク装置などのディスク装置が広く用いられている。例えば磁気ディスク装置は、少なくとも、筺体、筺体内に配設される磁気ディスク、磁気ディスクを支持および回転駆動するスピンドルモータ、そして磁気ディスクから情報を読み出す磁気ヘッドを備える。磁気ディスク装置が備える筺体は、不要な物質やガスが装置外部から装置内部へ入り込むことを防ぐために略密閉されている。
【０００３】
しかし、スピンドルモータを構成する部品に含まれる有機材料からアウトガスが発生することがある。アウトガスが磁気ディスク装置内部に入り込み、磁気ディスクの動作に悪影響を及ぼすことがある。スピンドルモータから発生するアウトガスをより低減するための技術が提案されている。
【先行技術文献】
【特許文献】
【０００４】
【特許文献１】特開平０５−０１５１３１号公報
【発明の概要】
【発明が解決しようとする課題】
【０００５】
ところが従来は、スピンドルモータから発生するアウトガスが依然としてディスク装置内部に入り込むことがあった。換言すると、従来は、スピンドルモータから発生するアウトガスが、磁気ディスク装置内部に入り込むことを充分に制限することができなかった。
【０００６】
そこで、本発明が解決しようとする課題は、スピンドルモータから発生するアウトガスがディスク装置内部に入り込むことをより制限することができるスピンドルモータおよびこれを備えるディスク装置を提供することである。
【課題を解決するための手段】
【０００７】
実施形態のスピンドルモータは、軸受け部とステータとハブと遮蔽構造体とを具備する。軸受け部は、ベースに固定され円筒状の外形を有する。ステータは、磁極となるコアを配設するとともに前記軸受け部の外側で前記ベースに固定される。ハブは、前記コアと対向する磁石を配設するとともに前記軸受け部に回転自在に支持される。遮蔽構造体は、前記ステータと前記ハブとの間の気流を遮蔽する遮蔽板と、当該遮蔽板を前記軸受け部の円筒状の外形の上端で当該軸受け部に密着させる第１の弾性部材と、前記遮蔽板を前記ハブの外端よりも外側に延び広がる領域で前記ベースに密着させる第２の弾性部材とを具備する。
【図面の簡単な説明】
【０００８】
【図１】本実施形態に係るディスク装置としての磁気ディスク装置（ＨＤＤ）について、トップカバーを取り外した当該ＨＤＤの内部構造を示す斜視図。
【図２】本実施形態に係るＨＤＤに備えられるスピンドルモータの回転中心における断面を示す断面図。
【図３】本実施形態に係る遮蔽板の斜視図。
【図４】本実施形態に係るスピンドルモータの回転中心における断面を示す断面図。
【図５】本実施形態に係る遮蔽部材の斜視図。
【発明を実施するための形態】
【０００９】
以下、本実施形態について図面を用いて説明する。
図１は、本実施形態に係るディスク装置としての磁気ディスク装置（以下、ＨＤＤとも称する）について、トップカバーを取り外した当該ＨＤＤの内部構造を示す斜視図である。
【００１０】
これ以降の説明では、Ｚ方向の矢印が向う方向を上側、Ｚ方向の矢印が向う方向とは逆方向を下側と定義して説明する。
図１に示すように、ＨＤＤは筺体１０を備えている。筺体１０は、上側が開口した矩形箱状のベース１１と、取り外されたトップカバー（不図示）と、を備えている。トップカバーは、複数の締結部材（例えばねじ）によりベース１１と組み合わされ、ベース１１の上端開口を閉塞する。これにより、筐体１０内部は気密に保持される。筺体１０のベース１１側では、呼吸フィルタ２６を通して筺体１０外部と通気可能となっている。一方、トップカバーにも呼吸フィルタが備えられることがあり、この呼吸フィルタを通して、筺体１０のトップカバー側でも、筺体１０外部と通気可能となる。ベース１１およびトップカバーは、例えばアルミや鉄によって形成されている。
【００１１】
ベース１１には、記録媒体としての少なくとも１枚の磁気ディスク１２、磁気ディスク１２を支持および回転させるスピンドルモータ１３、磁気ディスク１２に対して情報の記録および再生を行なう少なくとも１つの磁気ヘッド３３、これらの磁気ヘッド３３を磁気ディスク１２の表面に対して移動自在に支持したキャリッジ１４、キャリッジ１４を回動および位置決めするボイスコイルモータ（以下、ＶＣＭとも称する）１６が配設されている。
【００１２】
また、ベース１１には、磁気ヘッド３３が磁気ディスク１２の最外周または最外周よりも外に移動した際、磁気ヘッド３３を磁気ディスク１２から離間した退避位置に保持するランプ機構１８、ＨＤＤに衝撃等が作用した際、キャリッジ１４を退避位置に保持するラッチ機構２０、およびプリアンプ等の電子部品が実装された基板ユニット１７が配設されている。さらに、ベース１１には、筺体１０内の塵、埃を除去する循環フィルタ２８、および外部から筺体１０内に吸い込まれる外気から塵、埃等を捕獲する呼吸フィルタ２６が配設されている。
【００１３】
ベース１１の下側には、プリント回路基板（不図示）が、締結部材（例えばねじ）により固定されている。つまり、プリント回路基板はベース１１の下側と対向して配設されている。プリント回路基板は、基板ユニット１７を介してＶＣＭ１６および磁気ヘッド３３と、モータ用電極（不図示）を介してスピンドルモータ１３と電気的に接続される。プリント回路基板には、ＶＣＭ１６やスピンドルモータ１３を制御し、磁気ヘッド３３と信号を送受するための電子部品が実装されている。
【００１４】
スピンドルモータ１３は、プリント回路基板に実装された電子部品からの制御により回転する。スピンドルモータ１３はコイルおよび磁石を備えて構成されており、このコイルに通電することでスピンドルモータ１３は回転駆動される。コイルの線材は、ベース１１の底壁の一部に空けられた孔部から筺体１０の外部に引き出され、ベース１１の下側に貼り付けられたＦＰＣを介してモータ用電極と電気的に接続される。このような構成により、スピンドルモータ１３に備えられるコイルは、プリント回路基板に実装される電子部品と電気的に接続される。
【００１５】
磁気ディスク１２は、例えば、直径６５ｍｍ（２．５インチ）に形成され、記録面となる上面および下面に磁気記録層を備えている。磁気ディスク１２は、後述するスピンドルモータ１３のハブに同軸的に嵌合されているとともに、ハブの上端にねじ止めされたクランパ２１によりハブに固定されている。磁気ディスク１２は、駆動モータとしてのスピンドルモータ１３により所定の回転速度（例えば、５４００ｒｐｍあるいは７２００ｒｐｍに対応する回転速度）で駆動される。
【００１６】
キャリッジ１４は、ベース１１の底壁に固定され、軸受け部として機能する軸受け組立体２４を備えている。軸受け組立体２４は、ベース１１の底壁に立設された枢軸と、この枢軸に一対の軸受けを介して回転自在に支持された円筒形状のハブと、を有している。キャリッジ１４は、軸受け組立体２４のハブに取り付けられた少なくとも１本のアーム２７、アーム２７から延出したサスペンション３０、サスペンション３０の延出端に支持された磁気ヘッド３３を備えている。
【００１７】
磁気ヘッド３３は、ほぼ矩形状のスライダ（不図示）と、このスライダに形成された記録用ヘッド素子および再生用ヘッド素子（不図示）とを備え、サスペンション３０の先端部に形成されたジンバル部に固定されている。磁気ヘッド３３は、キャリッジ１４に貼り付けられた不図示の中継フレキシブルプリント回路基板（以下、フレキシブルプリント回路基板をＦＰＣとも称する）およびメインＦＰＣ３８を介して基板ユニット１７と電気的に接続されている。
【００１８】
本実施形態では、このような構成により、スピンドルモータ１３が磁気ディスク１２を所定の回転速度で駆動する。またＶＣＭ１６は、キャリッジ１４を軸受け組立体２４の回りで回転させ、キャリッジ１４に備えられる磁気ヘッド３３を磁気ディスク１２の記録面に対応する位置に移動させる。磁気ヘッド３３は、磁気ディスク１２が回転した状態で、磁気ディスクの記録面から浮上し、磁気ディスク１２に対して情報の記録および再生を行なう。
【００１９】
なお、磁気ディスク１２および磁気ヘッド３３はそれぞれ複数備えられてもよく、この場合、磁気ディスク１２の磁気記録層それぞれに磁気ヘッド３３が対応づけられる。
【００２０】
次に、図２を用いて、本実施形態に係るスピンドルモータ１３の構造について詳細に説明する。
図２は、本実施形態に係るＨＤＤに備えられるスピンドルモータ１３の回転中心における断面を示す断面図である。
図２に示すように、スピンドルモータ１３は、回転体としてのロータ４０および固定体としてのステータ５０を備えている。スピンドルモータ１３は、ロータ４０として構成されるハブ４１、およびハブ４１に固定されたシャフト４２を備えている。ハブ４１は、上端部が略閉塞された円筒形状で、略閉塞された上端部が成す上壁の略中央に孔部を備えて形成されている。シャフト４２は、ハブ４１の上壁の略中央に備えられる孔部と略同径の外面を有する円筒形状であり、当該孔部に嵌めこまれてハブ４１と固定されている。シャフト４２は、流体軸受け５５によりベース１１に対して回転自在に支持されている。
【００２１】
流体軸受け５５は、ベース１１に固定された円筒状の内面および外面を有するスリーブ５７と、スリーブ５７の下端開口を閉塞するスラスト板５３とを備えている。スリーブ５７は、上に延びるベース１１が形成する円筒形状の孔部に嵌め込まれている。スリーブ５７の高さは、上に延びるベース１１の高さよりも所定の長さだけ短く形成されている。シャフト４２は、その外面とスリーブ５７の内面との間に僅かな隙間を設けてスリーブ５７内側に挿通されている。シャフト４２の外面とスリーブ５７の内面との隙間、およびシャフト４２の下端面とスラスト板５３との隙間には、流体（例えば潤滑油）が充填されている。また、シャフト４２の外面には、シャフト４２が回転することによりラジアル方向の動圧を発生させる動圧発生溝（例えば、へリングボーン形状の溝）が形成され、シャフト４２の下端面には、スラスト方向の動圧を発生させる他の動圧発生溝が形成されている。
【００２２】
ハブ４１の円筒部の内面には円筒状の磁石４３が固定され、シャフト４２と同軸的に位置している。磁石４３は、ハブ４１の円筒部の内面で露出しているとともに、ハブ４１の上端部から下端まで軸方向に沿って延びている。磁石４３は、円周方向に沿って交互に、かつ、等間隔を置いて形成された複数のＮ極およびＳ極を有している。ハブ４１の円筒部の下端には環状のフランジ６５が一体に形成されている。また、ハブ４１の下端周囲には磁気ディスク１２が同軸的に嵌合され、フランジ６５上に当接している。磁気ディスク１２はクランパ２１とフランジ６５との間に配設されている。
【００２３】
クランパ２１はシャフト４２の上端の略中央でねじ止めされて固定され、磁気ディスク１２をハブ４１の下端周囲に勘合する。
ステータ５０は、略環状に形成されている。ステータ５０は、スリーブ５７の外側で、上に延びるベース１１に固定され、シャフト４２と同軸的に円周方向に沿って位置している。ステータ５０は、複数枚の金属板を積層して形成されたコア５６と、コア５６に巻装された複数のコイル５８とを有し、これらコア５６およびコイル５８により複数の磁極を形成している。これらの磁極は、円周方向に沿って等間隔で設けられ、磁石４３の磁極と対向して位置している。
【００２４】
ベース１１の底壁の一部には孔部１１ａが設けられている。コイル５８を形成する線材の一端５８ａは、コイル５８に通電するために孔部１１ａを通って、筺体１０の外部（詳細にはベース１１の下側）に引き出されている。引き出された線材の一端５８ａは、ベース１１の下側に貼り付けられたＦＰＣ６０の一端に設けられた電極に導電性部材（例えば半田）により電気的に接続される。孔部１１ａは、非導電性の固着部材が充填されて封止されている。固着部材は例えば接着剤である。また、スラスト板５３、孔部１１ａ、および線材の一端５８ａが接続されたＦＰＣ６０の一端は、そのベース１１側に接着面を有して構成されるラベル６１により覆われている。ベース１１の下側のうちスピンドルモータ１３が配設される領域は、ラベル６１によって密閉されている。
【００２５】
本実施形態に係るスピンドルモータ１３は、ロータ４０とステータ５０との間に遮蔽板７０を備えている。図３には、遮蔽板７０の斜視図を示す。遮蔽板７０は、スリーブ５７の円筒状の外面の径よりも大きな径の中央孔を略中央に有する上面部７１、上面部７１の外周縁から略直行して下方向に延びる円筒部７２、円筒部７２の下端から外側に略直行して広がる下面部７３を備える。また遮蔽板７０は、上面部７１の内周縁から略直行して下方向に延びる内側円筒部７４を備えている。内側円筒部７４は絞り加工で形成することができる。
【００２６】
上面部７１は、その上側がハブ４１の上壁に接触しないように、コア５６に巻装された複数のコイル５８の少なくとも一つの上側と固着部材で接合される。円筒部７２の内側はコア５６と当接する。円筒部７２はコア５６と固着部材で接合されてもよい。円筒部７２は、コア５６の外側で、磁石４３に接触しないように、円周方向に沿って位置している。下面部７３は、ベース１１の上側に沿って、フランジ６５に接触しないように、フランジ６５の外端よりも外側に延びている。下面部７３のうちフランジ６５の外端よりも外側に延び広がる領域で、下面部７３はベース１１に固定されている。つまり遮蔽板７０は、ロータ４０と接触しないように、ステータ５０及びベース１１に固定されている。この遮蔽板７０は、例えばアルミなどの非磁性材料で形成されている。遮蔽板７０は、非磁性材料で形成されるので、ステータ５０の磁極と磁石４３の磁極との間を磁気的に遮断しない。遮蔽板７０は、０．１ｍｍほどの厚さに形成されればよい。
【００２７】
内側円筒部７４とスリーブ５７との間には、円筒形状に形成され弾性を有する緩衝部材８０が配設されている。緩衝部材８０は、スリーブ５７の円筒形の外面の上端で、かつ、上に延びるベース１１の上端の上部で同軸的に配設されている。緩衝部材８０は弾性を有しているため、遮蔽板７０はスリーブ５７に密着して嵌め込まれる。下面部７３とベース１１との間には、環状に形成され弾性を有する緩衝部材８１が配設されている。下面部７３は、締結部材（例えばねじ）により、緩衝部材８１を介してベース１１に固定される。緩衝部材８１は弾性を有しているため、遮蔽板７０はベース１１に密着して固定される。緩衝部材８０，８１は、例えばフッ素系材料などのガス透過性が低い材料で形成されている。遮蔽板７０（詳細には内側円筒部７４）とスリーブ５７との間の緩衝部材８０、遮蔽板７０（詳細には下面部７３）とベース１１との間の緩衝部材８１が配設されることで、ロータ４０とステータ５０との間の気流が遮蔽される。つまり、遮蔽板７０および緩衝部材８０，８１により、遮蔽構造体が形成される。このようにして、スピンドルモータ１３のロータ４０側の空間の密閉性が確保される。
【００２８】
なお、ベース１１の底壁の一部には孔部１１ａは、固着部材により封止される態様を説明したが、孔部１１ａは固着部材により封止されなくてもよい。本実施形態によれば、孔部１１ａに充填される固着部材がなくとも、遮蔽構造体により筺体１０内部の機密性が確保される。つまり、本実施形態によれば、孔部１１ａに充填される固着部材を省くことが可能となる。
【００２９】
このように、スピンドルモータ１３が備えるステータ５０を構成する複数の部品を固定するために、多くの箇所で固着部材が使用されている。一般的に、固着部材は、アウトガスを発する有機系接着剤である。アウトガスが筺体１０内部に入り込むと、ＨＤＤの動作に悪影響を及ぼすことが知られている。本実施形態に係るスピンドルモータ１３は、遮蔽板７０および緩衝部材８０，８１による遮蔽構造体を備えている。従って、本実施形態に係るスピンドルモータ１３によれば、スピンドルモータから発生するアウトガスがディスク装置内部に入り込むことをより制限することができる。
【００３０】
次に、図４を用いて、本実施形態に係るスピンドルモータ１３の変形例であるスピンドルモータ１３ａの構造について詳細に説明する。
図４は、本実施形態に係るスピンドルモータ１３ａの回転中心における断面を示す断面図である。
図４に示されるほとんどの部品のうち、図２に示したものと同じものについては、同じ符号を付し、詳細な説明は省略する。図２により説明した遮蔽構造体は、それぞれが独立した部品として形成される遮蔽板７０および緩衝部材８０，８１を備えていた。図４により説明する遮蔽構造体は、遮蔽板と緩衝部材とが一体となった単一部品の遮蔽部材７０ａとして形成される。
【００３１】
本実施形態に係るスピンドルモータ１３ａは、ロータ４０とステータ５０との間に遮蔽部材７０ａを備えている。図５には、遮蔽部材７０ａの斜視図を示す。遮蔽部材７０ａは、スリーブ５７の円筒状の外面の径よりも大きな径の中央孔を略中央に有する上面部７１ａ、上面部７１ａの外周縁から略直行して下方向に延びる円筒部７２ａ、円筒部７２ａの下端から外側に略直行して広がる下面部７３ａを備えている。また、遮蔽部材７０ａは、上面部７１ａの内周縁から略直行して下方向に延びる内側円筒部７４ａ、下面部７３ａの外周縁から下方向に延びる外側円筒部７５を備えている。
【００３２】
上面部７１ａは、その上側がハブ４１の上壁に接触しないように、複数のコイル５８の少なくとも一つの上側と固着部材で接合される。円筒部７２ａの内側はコア５６と当接する。円筒部７２ａはコア５６と固着部材で接合されてもよい。円筒部７２ａは、コア５６の外側で、磁石４３に接触しないように、円周方向に沿って位置している。下面部７３ａは、ベース１１の上側に沿って、フランジ６５に接触しないように、フランジ６５の外端よりも外側に延びている。内側円筒部７４ａは、スリーブ５７の円筒形の外面の上端で、かつ、上に延びるベース１１の上端の上部で同軸的に配設されている。内側円筒部７４ａの内側は、スリーブ５７の円筒形の外面に当接している。外側円筒部７５は、フランジ６５の外端よりも外側に延び広がる領域で、締結部材（例えばねじ）により、ベース１１に固定される。外周円筒部７５の下側は、ベース１１の上側に当接する。つまり遮蔽部材７０ａは、ロータ４０と接触しないように、ステータ５０及びベース１１に固定されている。
【００３３】
遮蔽部材７０ａは、弾性を有する非磁性材料で形成されている。遮蔽部材７０ａは、例えばフッ素系材料などのガス透過性が低い材料で形成されている。遮蔽部材７０ａは、弾性を有しているため、スリーブ５７およびベース１１に密着して配設される。また、遮蔽部材７０ａは、非磁性材料で形成されるので、ステータ５０の磁極と磁石４３の磁極との間を磁気的に遮断しない。遮蔽部材７０ａは、０．１ｍｍほどの厚さに形成されればよい。遮蔽部材７０ａが配設されることで、ロータ４０とステータ５０との間の気流が遮断される。つまり、スピンドルモータ１３ａでは、遮蔽部材７０ａにより、一体に形成された遮蔽構造体が形成される。このようにして、スピンドルモータ１３ａのロータ４０側の空間の密閉性が確保される。
【００３４】
スピンドルモータ１３ａにおいても、ステータ５０を構成する複数の部品を固定するための固着部材が多くの箇所で使用されている。スピンドルモータ１３ａに使用される固着部材も、例えばアウトガを発する有機系接着剤である。本実施形態に係るスピンドルモータ１３ａは、遮蔽部材７０ａにより、一体に形成された遮蔽構造体を備えている。従って、本実施形態に係るスピンドルモータ１３ａによっても、スピンドルモータから発生するアウトガスがディスク装置内部に入り込むことをより制限することができる。
【００３５】
以上説明したように本実施形態によれば、複数の部品によりまたは単一部品により一体に形成された遮蔽構造体がロータとステータとの間に配設されたスピンドルモータが提供される。遮蔽構造体は、弾性を有する部品を介して他の部品と当接し、ステータの磁極とロータの磁石の磁極との間に非磁性材料で形成される部品が配設される。この遮蔽構造体は、ロータ側の空間とステータ側の空間とに対して、磁気的には遮断しないが気流を遮断する。つまり、ステータ側の空間でアウトガスが発生するが、遮蔽構造体により、ロータ側の空間の密閉性が確保される。すなわち、本実施形態に係るスピンドルモータによれば、スピンドルモータから発生するアウトガスがディスク装置内部に入り込むことをより制限することができる。
【００３６】
なお、少なくとも一つの実施形態を説明したが、説明した実施形態は一例として提示したものであり、発明の範囲はこの実施形態に限定されない。また、説明した実施形態は、本発明の要旨を変えない範囲において、種々の変更、改変等が可能である。さらに、前述した実施形態に開示されている複数の構成要素を適宜に組み合わせることにより、種々の発明を形成することができる。例えば、実施形態に示される全構成要素から幾つかの構成要素を削除してもよく、また、異なる実施形態に係る構成要素を適宜組み合わせても良い。これらの実施形態やその変形は、発明の範囲や要旨に含まれ、特許請求の範囲に記載された発明と、その均等の範囲に含まれるものである。
【符号の説明】
【００３７】
１３，１３ａ…スピンドルモータ、１１…ベース、１１ａ…孔部、１２…磁気ディスク、２１…クランパ、４０…ロータ、４１…ハブ、４２…シャフト、４３…磁石、５０…ステータ、５３…スラスト板、５５…流体軸受け、５６…コア、５７…スリーブ、５８…コイル、５８ａ…一端、６０…ＦＰＣ、６１…ラベル、６５…フランジ、７０…遮蔽板、７０ａ…遮蔽部材、７１，７１ａ…上面部、７２，７２ａ…円筒部、７３，７３ａ…下面部、７４，７４ａ…内側円筒部、７５…外側円筒部、８０，８１…緩衝部材。
【図１】
2012181888.tif 000003
【図２】
2012181888.tif 000004
【図３】
2012181888.tif 000005
【図４】
2012181888.tif 000006
【図５】
2012181888.tif 000007